(57)【要約】【解決手段】ハンドル本体３で頭部６と尻部７との間に露出する把持部８よりも硬度の小さい指当体１２を把持部８で露出させて設けている。指当体１２は互いに分離されて複数分割された分割片１３，１４をハンドル本体３の長手方向に対する周方向へ互いに並べたものであって、指当体１２において周方向で互いに隣接する両分割片１３，１４の端縁部は周方向で互いに圧接されて連続している。【効果】把持部８内で各分割片１３，１４を互いに連続させる成形空間を必要とせず、指当体１２や把持部８を形成するための成形型の構造が簡単になるとともに、指当体１２や把持部８を形成する材料の分量が少なくなる。従って、ハンドル本体３で把持部８から露出する指当体１２を各分割片１３，１４ごとに簡単且つ安価に設け、両分割片１３，１４の端縁部間で隙間をなくして各分割片１３，１４を一体化させ、指当体１２としての機能を高めることができる。【選択図】図１
2011019558.tif 000002
【特許請求の範囲】
【請求項１】
頭部と尻部とを結ぶ長手方向へ延びるハンドル本体の表側で頭部と尻部との間に露出する把持部よりも硬度の小さい指当体をこの把持部で露出させて設けた剃刀のハンドルにおいて、この指当体は、互いに分離されて複数分割された分割片をハンドル本体の長手方向に対する周方向へ互いに並べたものであることを特徴とする剃刀のハンドル。
【請求項２】
前記指当体の各分割片のうち周方向で互いに隣接する両分割片の端縁部は周方向で互いに接して連続していることを特徴とする請求項１に記載の剃刀のハンドル。
【請求項３】
周方向で互いに隣接する前記両分割片の端縁部は互いに圧接されていることを特徴とする請求項２に記載の剃刀のハンドル。
【請求項４】
周方向で互いに隣接する前記両分割片の端縁部のうち一方の端縁部と他方の端縁部とには、ハンドル本体の長手方向に対し交差する幅方向で互いに接する接触面を有していることを特徴とする請求項２または請求項３に記載の剃刀のハンドル。
【請求項５】
頭部と尻部とを結ぶ長手方向へ延びるハンドル本体の表側で頭部と尻部との間に露出する把持部よりも硬度の小さい指当体をこの把持部で露出させて設けた剃刀のハンドルにおいて、このハンドル本体内に設けた収容室に収容して支持した錘に設けた挟持部と、この把持部に設けた挟持部との間に、この指当体に設けた緩衝部を介在させたことを特徴とする剃刀のハンドル。
【発明の詳細な説明】
【技術分野】
【０００１】
本発明はハンドル本体の表側で指当体を把持部から露出させて設けた剃刀のハンドルに関するものである。
【背景技術】
【０００２】
従来、例えば下記の特許文献１に示すように、剃刀のハンドルにおいては、頭部と尻部とを結ぶ長手方向へ延びるハンドル本体（硬質樹脂）の表側で頭部と尻部との間に露出する把持部よりも硬度の小さい指当体（軟質樹脂）がこの把持部内で互いに連続して一体成形され、この指当体の一部が例えばハンドル本体の背側と腹側とで指当面として露出して周方向や長手方向へ互いに並べられている。
【先行技術文献】
【特許文献】
【０００３】
【特許文献１】特開２００３−３１１０４８号公報
【発明の概要】
【発明が解決しようとする課題】
【０００４】
上記特許文献１では、ハンドル本体で周方向へ互いに並べられて露出する複数の指当面を有する指当体が把持部内で互いに連続して一体成形されているので、把持部内で各指当面を互いに連続させる成形空間を必要とし、その成形空間を形成するための成形型の構造が複雑になるとともに、その成形空間に注入する軟質樹脂の量が多くなって材料コストが上がる問題があった。また、ハンドル本体内の収容室に錘を収容した剃刀のハンドルでは、収容室に錘を収容し易くするために錘と収容室との間に極僅かな隙間を持たせて錘を収容室に支持しているが、その隙間が製造誤差等で大きくなり過ぎると、錘の動きによりハンドル本体内で耳障りな音が生じるおそれがあった。
【０００５】
この発明は、このような問題を解消して、ハンドル本体の表側で把持部から露出する指当体を簡単且つ安価に設けることができる剃刀のハンドルを提供することを目的としている。また、この発明は、ハンドル本体の表側で把持部から露出する指当体を利用して、ハンドル本体内に収容した錘の動きを緩衝して耳障りな音の発生を防止することができる剃刀のハンドルを提供することを目的としている。
【課題を解決するための手段】
【０００６】
後記実施形態の図面（図１〜１１）の符号を援用して本発明を説明する。
請求項１の発明にかかる剃刀のハンドルにおいては、頭部６と尻部７とを結ぶ長手方向へ延びるハンドル本体３の表側で頭部６と尻部７との間に露出する把持部８よりも硬度の小さい指当体１２をこの把持部８で露出させて設けている。この指当体１２は、互いに分離されて複数分割された分割片１３，１４をハンドル本体３の長手方向に対する周方向へ互いに並べたものである。この周方向とは、長手方向に交差する面上で把持部８の外周面が延びる方向である。ハンドル本体３の把持部８に対し分離して成形した各分割片１３，１４を互いに組み付けてもよいが、この指当体１２の各分割片１３，１４をハンドル本体３の把持部８に対し一体成形してもよい。
【０００７】
請求項１の発明では、互いに分離されて複数分割された分割片１３，１４をハンドル本体３の周方向へ互いに並べて指当体１２を構成したので、把持部８内で各分割片１３，１４を互いに連続させる成形空間を必要とせず、その指当体１２や把持部８を形成するための成形型の構造が従来技術の場合よりも簡単になるとともに、その指当体１２や把持部８を形成する材料の分量を少なくすることができる。従って、ハンドル本体３の表側で把持部８から露出する指当体１２を各分割片１３，１４ごとに簡単且つ安価に設けることができる。
【０００８】
請求項１の発明を前提とする請求項２の発明において、前記指当体１２の各分割片１３，１４のうち周方向で互いに隣接する両分割片１３，１４の端縁部１６，４０は接触面２２，４５により周方向で互いに接して連続している。請求項２の発明では、指当体１２を複数の分割片１３，１４に分割したにもかかわらず、ハンドル本体３の把持部８の周方向で各分割片１３，１４が互いに接して連続する指当体１２を広い円周角度範囲θ１２に設けて指当体１２としての機能を高めることができる。
【０００９】
請求項２の発明を前提とする請求項３の発明において、周方向で互いに隣接する前記両分割片１３，１４の端縁部１６，４０は例えばその分割片１３，１４自体の弾性を利用して互いに圧接されている。この圧接方向は特に限定されず、例えばハンドル本体３において、接触面２２，４５間による周方向の圧接でも、接触面２３，４６間による長手方向の圧接でもよいし、接触面２１，４８間による幅方向の圧接でもよい。請求項３の発明では、ハンドル本体３の把持部８の周方向で各分割片１３，１４が互いに接して連続する指当体１２において、両分割片１３，１４の端縁部１６，４０間の圧接により、周方向で互いに隣接する両分割片１３，１４の端縁部１６，４０間で隙間をなくして各分割片１３，１４を一体化させ、指当体１２としての機能を高めることができる。
【００１０】
請求項２または請求項３の発明を前提とする請求項４の発明において、周方向で互いに隣接する前記両分割片１３，１４の端縁部１６，４０のうち一方の端縁部１６と他方の端縁部４０とには、ハンドル本体３の長手方向に対し交差する幅方向で互いに接する接触面２１，４８を有している。請求項４の発明では、ハンドル本体３の把持部８の周方向で各分割片１３，１４が互いに接して連続する指当体１２において、両分割片１３，１４の端縁部１６，４０の接触面２１，４８により、周方向で互いに隣接する両分割片１３，１４の端縁部１６，４０間で隙間をなくして各分割片１３，１４を一体化させ、指当体１２としての機能を高めることができる。
【００１１】
請求項５の発明にかかる剃刀のハンドルにおいては、頭部６と尻部７とを結ぶ長手方向へ延びるハンドル本体３の表側で頭部６と尻部７との間に露出する把持部８よりも硬度の小さい指当体１２をこの把持部８で露出させて設けている。このハンドル本体３内に設けた収容室５７に収容して支持した錘５１に設けた挟持部５１ｃ，５１a，５１ｄと、この把持部８に設けた挟持部３７，３５，５３，５２，３４ｂとの間に、この指当体１２に設けた緩衝部３２，２８，４４，２７ａを介在させている。この挟持部５１ｃ，５１a，５１ｄや挟持部３７，３５，５３，５２，３４ｂや緩衝部３２，２８，４４，２７ａについては、錘５１や把持部８や指当体１２に対し一体に設けるばかりでなく別部品を取着して設けてもよい。
【００１２】
請求項５の発明では、ハンドル本体３の把持バランスを良くしてハンドル本体３を把持し易くするために錘５１をハンドル本体３内の収容室５７に収容した場合でも、例えば指当体１２自体の弾性を利用した緩衝部３２，２８，４４，２７ａにより、収容室５７に錘５１を収容し易くするとともに、収容室５７で錘５１の動きを緩衝して錘５１の動きにより生じる耳障りな音の発生を防止することができる。
【００１３】
次に、請求項以外の技術的思想について実施形態の図面の符号を援用して説明する。
請求項２または請求項３または請求項４の発明を前提とする第６の発明において、周方向で互いに隣接する前記両分割片１３，１４の端縁部１６，４０は、異なる方向で両分割片１３，１４の端縁部１６，４０間の位置ずれを規制する複数の接触面２１，２２，２３，４５，４６，４８を有している。第６の発明では、複数の接触面２１，２２，２３，４５，４６，４８により、両分割片１３，１４の端縁部１６，４０間の位置ずれを各方向でなくして各分割片１３，１４を一体化させ、指当体１２としての機能を高めることができる。
【００１４】
第６の発明を前提とする第７の発明において、周方向で互いに隣接する前記両分割片１３，１４の端縁部１６，４０における接触面は、長手方向の位置ずれを規制する接触面２３，４６と、長手方向に対し交差する幅方向の位置ずれを規制する接触面２１，４８と、周方向の位置ずれを規制する接触面２２，４５である。第７の発明では、各接触面２１，２２，２３，４５，４６，４８により、両分割片１３，１４の端縁部１６，４０間の位置ずれを長手方向と幅方向と周方向とでなくして各分割片１３，１４を一体化させ、指当体１２としての機能を高めることができる。
【００１５】
請求項２または請求項３または請求項４の発明、または、第６の発明または第７の発明を前提とする第８の発明において、前記指当体１２が周方向へ延びる円周角度範囲θ１２（＝θ１５＋θ１４）は、１８０度を超えて３６０度以下に設定されている。第８の発明では、指当体１２を複数の分割片１３，１４に分割したにもかかわらず、ハンドル本体３の把持部８の周方向で各分割片１３，１４が互いに接して連続する指当体１２を１８０度を超えて３６０度以下に設定した広い円周角度範囲θ１２に設けて指当体１２としての機能を高めることができる。
【００１６】
第８の発明を前提とする第９の発明において、前記指当体１２の各分割片１３，１４が周方向へ延びる円周角度範囲θ１５，θ１４は、１８０度以下に設定されている。第９の発明では、それぞれの分割片１３，１４の円周角度範囲θ１５，θ１４を１８０度以下に抑えて各分割片１３，１４の成形を容易にしている。
【００１７】
請求項２または請求項３または請求項４の発明、または、第６〜９の発明のうちいずれか一つの発明を前提とする第１０の発明において、周方向で互いに隣接する前記両分割片１３，１４の端縁部１６，４０のうち一方の端縁部１６の外周面１９に露出させて設けた突部２６と他方の端縁部４０の外周面４１に露出させて設けた突部５０とを互いに連続させた。第１０の発明では、指当体１２を複数の分割片１３，１４に分割したにもかかわらず、周方向で互いに隣接する両分割片１３，１４の端縁部１６，４０間で突部２６，５０を互いに連続させて指当体１２としての機能を高めることができる。
【００１８】
請求項１から請求項４の発明のうちいずれか一つの請求項の発明、または、第６〜１０の発明のうちいずれか一つの発明を前提とする第１１の発明において、前記指当体１２の各分割片１３，１４のうち少なくとも一つの分割片１４は、周方向へ複数区画した区画部４３と、周方向で互いに隣接する両区画部４３を互いに連続させた架橋部４４とを有し、前記把持部８に設けた係止部５２でこの架橋部４４を押えるとともに各区画部４３を露出させた。第１１の発明では、把持部８の係止部５２により分割片１４の両区画部４３間の架橋部４４を押えて分割片１４を把持部８に保持することができる。
【００１９】
請求項１から請求項４の発明のうちいずれか一つの請求項の発明、または、第６〜１１の発明のうちいずれか一つの発明を前提とする第１２の発明において、前記指当体１２の各分割片１３，１４は樹脂により成形され、その成形時に分割片１３から突出して生じるゲート部２５を前記把持部８の内側に隠蔽した。第１２の発明では、成形時に分割片１３に生じるゲート部２５を除去処理することなくまたはその除去処理を必要最小限に抑えて隠蔽することができる。
【００２０】
請求項１から請求項４の発明のうちいずれか一つの請求項の発明、または、第６〜１２の発明のうちいずれか一つの発明を前提とする第１３の発明において、前記指当体１２はハンドル本体３の把持部８でハンドル本体３の頭部６に近い頭部６側に設けられている。第１３の発明では、ハンドル本体３の頭部６側で指当体１２に指を当てがってハンドル本体３を把持することができる。
【００２１】
第１３の発明を前提とする第１４の発明において、前記指当体１２の各分割片１３，１４のうち少なくとも一つの分割片１３は、ハンドル本体３の周方向へ並ぶ主体部１５以外に、この主体部１５から尻部７側へ延びる延設部１７を有している。第１４の発明では、指当体１２の分割片１３の主体部１５以外にその延設部１７にも指を当てがってハンドル本体３を把持することができる。
【００２２】
請求項１から請求項４の発明のうちいずれか一つの請求項の発明、または、第６〜１４の発明のうちいずれか一つの発明を前提とする第１５の発明において、前記指当体１２の分割片１３は、前記把持部８に設けた係止部３５，５３により押えられる保持部２９を有している。第１５の発明では、指当体１２の分割片１３を把持部８の係止部３５，５３により保持することができる。
【００２３】
請求項１から請求項４の発明のうちいずれか一つの請求項の発明、または、第６〜１５の発明のうちいずれか一つの発明を前提とする第１６の発明において、前記ハンドル本体３内に設けた収容室５７に錘５１を収容して支持した。第１６の発明では、ハンドル本体３の把持バランスを良くしてハンドル本体３を把持し易い。
【００２４】
請求項１から請求項４の発明のうちいずれか一つの請求項の発明、または、第６〜１５の発明のうちいずれか一つの発明を前提とする第１７の発明において、前記ハンドル本体３内に設けた収容室５７に収容して支持した錘５１に設けた挟持部５１ｃ，５１a，５１ｄと、この把持部８に設けた挟持部３７，３５，５３，５２，３４ｂとの間に、この緩衝部３２，２８，４４，２７ａを介在させている。第１７の発明では、ハンドル本体３の把持バランスを良くしてハンドル本体３を把持し易くするために錘５１をハンドル本体３内の収容室５７に収容した場合でも、例えば指当体１２自体の弾性を利用した緩衝部３２，２８，４４，２７ａにより、収容室５７に錘５１を収容し易くするとともに、収容室５７で錘５１の動きを緩衝して錘５１の動きにより生じる耳障りな音の発生を防止することができる。
【００２５】
請求項５の発明または第１７の発明を前提とする第１８の発明において、前記指当体１２の緩衝部３２，２８，４４，２７ａは錘５１の挟持部５１ｃ，５１a，５１ｄと把持部８の挟持部３７，３５，５３，５２，３４ｂとの間で例えば指当体１２自体の弾性を利用して圧縮されている。第１８の発明では、緩衝部３２，２８，４４，２７ａの圧縮により緩衝機能を向上させることができる。
【００２６】
第１８の発明を前提とする第１９の発明において、前記指当体１２の緩衝部３２，２８，４４，２７ａは互いに離間して複数設けられている。第１９の発明では、互いに離間した複数の緩衝部３２，２８，４４，２７ａにより、錘５１に対する緩衝機能を向上させることができる。
【００２７】
第１８の発明または第１９の発明を前提とする第２０の発明において、前記指当体１２の緩衝部３２，２８，４４，２７ａは錘５１を挟む両側（ハンドル本体３の背側部品４の内側に面する錘５１の背側とハンドル本体３の腹側部品５の内側に面する錘５１の腹側や、錘５１の幅方向両側）に設けられている。第２０の発明では、錘５１を挟む両側にある複数の緩衝部３２，２８，４４，２７ａにより、錘５１に対する緩衝機能を向上させることができる。
【発明の効果】
【００２８】
本発明は、剃刀１のハンドル２において、ハンドル本体３の表側で把持部８から露出する指当体１２を各分割片１３，１４ごとに簡単且つ安価に設けることができる。また、本発明は、剃刀１のハンドル２において、ハンドル本体３の表側で把持部８から露出する指当体１２を利用して、ハンドル本体３内に収容した錘５１の動きを緩衝して耳障りな音の発生を防止することができる。
【図面の簡単な説明】
【００２９】
【図１】（ａ）（ｂ）はそれぞれ本実施形態にかかるハンドルを備えた剃刀を示す斜視図である。
【図２】（ａ）は指当体の背側分割片を示す平面図であり、（ｂ）は同じく側面図であり、（ｃ）は同じく底面図であり、（ｄ）は同じく（ａ）のＡ１−Ａ１線における縦断面図であり、（ｅ）は同じく（ａ）のＡ２−Ａ２線における横端面図であり、（ｆ）は同じく（ａ）のＡ３−Ａ３線における横端面図である。
【図３】（ａ）はハンドル本体の背側部品を示す平面図であり、（ｂ）は同じく側面図であり、（ｃ）は同じく底面図であり、（ｄ）は同じく（ａ）のＢ１−Ｂ１線における縦断面図であり、（ｅ）は同じく（ａ）のＢ２−Ｂ２線における横端面図であり、（ｆ）は同じく（ａ）のＢ３−Ｂ３線における横端面図である。
【図４】（ａ）はハンドル本体の背側部品に指当体の背側分割片を組み付けた状態を示す平面図であり、（ｂ）は同じく側面図であり、（ｃ）は同じく底面図である。
【図５】（ａ）は図４（ａ）のＣ１−Ｃ１線における縦断面図であり、（ｂ）は図４（ａ）のＣ２−Ｃ２線における横端面図であり、（ｃ）は図４（ａ）のＣ３−Ｃ３線における横端面図である。
【図６】（ａ）は指当体の腹側分割片を示す平面図であり、（ｂ）は同じく側面図であり、（ｃ）は同じく底面図であり、（ｄ）は同じく（ａ）のＤ１−Ｄ１線における縦断面図であり、（ｅ）は同じく（ａ）のＤ２−Ｄ２線における横端面図である。
【図７】（ａ）はハンドル本体の背側部品に指当体の背側分割片を組み付けた後に錘と指当体の腹側分割片とを組み付けた状態を示す平面図であり、（ｂ）は同じく側面図であり、（ｃ）は同じく底面図である。
【図８】（ａ）は図７（ａ）のＥ１−Ｅ１線における縦断面図であり、（ｂ）は図７（ａ）のＥ２−Ｅ２線における横端面図であり、（ｃ）は図７（ａ）のＥ３−Ｅ３線における横端面図である。
【図９】（ａ）はハンドル本体の腹側部品を示す平面図であり、（ｂ）は同じく側面図であり、（ｃ）は同じく底面図であり、（ｄ）は同じく（ａ）のＦ１−Ｆ１線における縦断面図であり、（ｅ）は同じく（ａ）のＦ２−Ｆ２線における横端面図であり、（ｆ）は同じく（ａ）のＦ３−Ｆ３線における横端面図である。
【図１０】（ａ）はハンドル本体の背側部品に指当体の背側分割片と錘と指当体の腹側分割片とを組み付けた後にハンドル本体の腹側部品を組み付けた状態を示す平面図であり、（ｂ）は同じく側面図であり、（ｃ）は同じく底面図である。
【図１１】（ａ）は図１０（ａ）のＧ１−Ｇ１線における縦断面図であり、（ｂ）は図１０（ａ）のＧ２−Ｇ２線における横端面図であり、（ｃ）は図１０（ａ）のＧ３−Ｇ３線における横端面図である。
【発明を実施するための形態】
【００３０】
以下、本発明の一実施形態にかかる剃刀のハンドルについて図面を参照して説明する。
図１に示す剃刀１のハンドル２において、図３に示す背側部品４と図９に示す腹側部品５とが互いに重合されて取り付けられたハンドル本体３は、頭部６と尻部７とを結ぶ長手方向へ延び、このハンドル本体３の表側で頭部６と尻部７との間に把持部８が露出している。この背側部品４と腹側部品５とは硬質樹脂により互いに分離して別々に成形されている。このハンドル本体３の頭部６内には図示しない開閉機構が内蔵され、その開閉機構の一部であるプッシャ９と支持アーム１０とが頭部６の前端部の左右両側から突出して並んでいる。
【００３１】
図１，１０に示す剃刀１のハンドル２において、前記ハンドル本体３の頭部６の前端部には替刃ヘッド１１が左右両支持アーム１０により支持されているとともに左右両プッシャ９による弾性力により前方へ押圧されている。この替刃ヘッド１１は左右両プッシャ９の弾性力に抗して左右両支持アーム１０を中心に回動して頭部６に対し首振りし得る。この左右両支持アーム１０の開閉に伴いこの替刃ヘッド１１を頭部６に対し着脱させることができる。
【００３２】
また、図１に示す剃刀１のハンドル２において、前記ハンドル本体３の把持部８で露出する指当体１２は、図２に示す背側分割片１３と、図６に示す腹側分割片１４とからなり、この背側分割片１３はこのハンドル本体３の背側部品４側に取り付けられ、この腹側分割片１４はこのハンドル本体３の腹側部品５側に取り付けられている。この背側分割片１３と腹側分割片１４とは前記硬質樹脂より硬度の小さい軟質樹脂により互いに分離して別々に成形されている。この軟質樹脂は例えばエラストマーであって、ショアＡ硬度３０〜ショアＤ硬度５０に設定することが好ましい。
【００３３】
図２に示すように、前記背側分割片１３は、ハンドル本体３の長手方向に対する周方向両側の両端縁部１６間で外周面１９がなす円周角度範囲θ１５が１８０度以下例えば１８０度に設定された主体部１５と、ハンドル本体３の長手方向に対し直交する幅方向の両側でこの主体部１５から尻部７側へ延びる延設部１７とを有している。この主体部１５の幅方向両端縁部１６において、端面１８と外周面１９との間の隅部には切欠き２０が形成されている。この切欠き２０は、端面１８から周方向へ連続して長手方向に沿って延びる交差面２１（接触面）と、外周面１９から幅方向へ連続して長手方向に沿って延びる交差面２２（接触面）と、延設部１７との境界付近でこの両交差面２１，２２に連続する交差面２３（接触面）とにより区画され、これらの交差面２１，２２，２３に面して開放されている。この主体部１５の頭端部で幅方向両端縁部１６から両側係止部２４ａが前方へ突設されているとともにこの両側係止部２４ａ間で中間係止部２４ｂが前方へ突設され、この中間係止部２４ｂには成形時に生じるゲート部２５が前方へ突出して残っている。この主体部１５の外周面１９には周方向へ延びる複数の指掛突条２６（指掛突部）が幅方向両端縁部１６間にわたり形成されて長手方向へ並設されている。
【００３４】
前記幅方向両延設部１７においては、前記主体部１５から連続して長手方向へ延びる外壁２７の内側で内壁２８（緩衝部）が連結壁部２９（保持部）を介して長手方向へ延び、この連結壁部２９を挟む周方向両側でこの外壁２７と内壁２８との間に係止溝３０，３１が形成され、この内壁２８の長手方向中間部で内壁２８の端縁部から内側へ突板部３２（緩衝部）が突出している。この外壁２７の外面には周方向へ延びる複数の指掛突条３３（指掛突部）が長手方向へ並設されている。また、主体部１５と両内壁２８との間で両外壁２７の内側には環部２７ａ（緩衝部）が突出している。
【００３５】
図３に示すように、ハンドル本体３の背側部品４は、前記頭部６から連続する背側把持部８ａと、この背側把持部８ａから連続する背側尻部７ａとからなる。この背側把持部８ａにおいて、頭部６側には嵌着部３４が頭部６に隣接して形成されているとともにこの嵌着部３４の外側から幅方向両側にわたり主凹部３４ａが形成され、この主凹部３４ａの幅方向両側から背側尻部７ａ側へ延びる側壁部３５（係止部，挟持部）の外側に隣接して延設凹部３６が形成され、この背側把持部８ａの内側に両側壁部３５に隣接して挟持突条３７（挟持部）が長手方向へ延設されている。この主凹部３４ａでその幅方向両側には頭部６の内側へ連通する係止凹部３８ａが形成されているとともにこの両係止凹部３８ａ間には頭部６の内側へ連通する開口３８ｂが形成されている。前記嵌着部３４と両側壁部３５との境で背側把持部８ａの内側には雌軸部３４ｂ（挟持部）が形成されているとともにこの両雌軸部３４ｂ間で支持壁部３９ａが形成されている。また、前記背側尻部７ａの内側にはコ字形状の支持壁部３９ｂが形成されている。なお、この背側把持部８ａの外側で背側尻部７ａ側には銘板３９ｃが嵌着されている。
【００３６】
図４，５に示すように、前記背側分割片１３を前記背側部品４に取り付けた状態では、背側分割片１３の主体部１５が背側把持部８ａの主凹部３４ａに外側から嵌め込まれ、背側分割片１３の両延設部１７において一方の係止溝３０に背側把持部８ａの側壁部３５が係入されて連結壁部２９に当てがわれ、外壁２７がこの側壁部３５の外側で背側把持部８ａの延設凹部３６に嵌め込まれて長手方向へ延びるとともに内壁２８がこの側壁部３５の内側で長手方向へ延びる。背側分割片１３の両延設部１７の両突板部３２は背側把持部８ａの両挟持突条３７に当てがわれる。背側分割片１３の主体部１５の両係止部２４ａは背側把持部８ａの主凹部３４ａの両係止凹部３８ａに係入される。背側分割片１３の主体部１５の係止部２４ｂは背側把持部８ａの主凹部３４ａの開口３８ｂから頭部６の内側に隠蔽されるとともに係止され、その係止部２４ｂにあるゲート部２５がその主凹部３４ａの開口３８ｂから頭部６の内側に隠蔽される。背側分割片１３の両延設部１７の環部２７ａは背側把持部８ａの両雌軸部３４ｂに当てがわれる。
【００３７】
図６に示すように、前記腹側分割片１４においては、ハンドル本体３の長手方向に対する周方向両側の両端縁部４０間で外周面４１がなす円周角度範囲θ１４が、１８０度以下、例えば外周面４１の溝部４２の円周角度を含めて１８０度に設定され、外周面４１に形成された溝部４２により周方向両側で二区画されて互いに隣接する両区画部４３がこの溝部４２に面する架橋部４４（緩衝部）により連続している。この腹側分割片１４の幅方向両端縁部４０は、外周面４１から幅方向へ連続して長手方向に沿って延びる端面４５（接触面）と、この端面４５の尻部側から周方向へ連続する交差面４６（接触面）と、この端面４５の頭部側から周方向へ連続する交差面４７と、この端面４５から内側へ連続する交差面４８（接触面）とを有している。この幅方向両端縁部４０間には両交差面４７間で架橋部４４から連続して前方へ突出する係止板部４９が形成されている。この両区画部４３の外周面４１には端縁部４０と溝部４２との間で周方向へ延びる複数の指掛突条５０（指掛突部）が長手方向へ並設されている。
【００３８】
図７，８に示すように、背側分割片１３を取り付けた背側部品４の内側に金属製の錘５１を嵌め込んで錘５１の幅方向両側が背側分割片１３の両延設部１７の内壁２８間に介在された状態では、両延設部１７の突板部３２が錘５１の頭端部５１ａ（挟持部）と尻端部５１ｂとの間の中間部５１ｃ（挟持部）と背側把持部８ａの両挟持突条３７との間で挟持され、錘５１の頭端部５１ａと中間部５１ｃとの間で錘５１の幅方向両側に形成されたくびれ部５１ｄ（挟持部）と背側把持部８ａの両雌軸部３４ｂとの間で背側分割片１３の両環部２７ａが挟持される。また、錘５１の頭端部５１ａが背側把持部８ａの支持壁部３９ａに当てがわれるとともに錘５１の尻端部５１ｂが背側尻部７ａの支持壁部３９ｂに当てがわれ、両環部２７ａが両くびれ部５１ｄに当てがわれて、錘５１の長手方向の動きが規制される。
【００３９】
さらに、図７，８に示すように、前記腹側分割片１４を前記背側分割片１３と背側部品４とに取り付けた状態では、腹側分割片１４の両端縁部４０が背側分割片１３の主体部１５の両端縁部１６に当てがわれてその両端縁部１６の切欠き２０に嵌め込まれ、その両端縁部４０の端面４５がその両端縁部１６の交差面２２に、その両端縁部４０の交差面４８がその両端縁部１６の交差面２１に、その両端縁部４０の交差面４６がその両端縁部１６の交差面２３にそれぞれ当てがわれる。背側分割片１３の各指掛突条２６と腹側分割片１４の各指掛突条５０とはそれらの端縁部１６，４０で互いに連続する。また、腹側分割片１４の架橋部４４の内側が錘５１の頭端部５１ａに当てがわれ、腹側分割片１４の係止板部４９が背側部品４の頭部６の内側に当てがわれる。
【００４０】
図９に示すように、前記ハンドル本体３の腹側部品５は、頭部６の一部をなす腹板６ａが連結橋部５２（挟持部、係止部）を介して連結された腹側把持部８ｂと、この腹側把持部８ｂから連続する腹側尻部７ｂとからなる。この連結橋部５２の幅方向両側で腹板６ａと腹側把持部８ｂとの間に切欠き５２ａが形成されている。この腹側把持部８ｂの内側の幅方向両側にはこの切欠き５２ａと腹側尻部７ｂとの間で形成された側壁部５３（係止部，挟持部）の外側に隣接して延設凹部５４が形成されているとともにこの切欠き５２ａと側壁部５３との間で雄軸部５５が形成されている。また、腹側尻部７ｂの内側には押接壁部５６が形成され、その押接壁部５６の端部５６ａは山形状に尖っている。
【００４１】
図１０，１１に示すように、前記腹側部品５を前記背側分割片１３及び腹側分割片１４と背側部品４とに取り付けた状態では、微細な超音波振動と圧力の付与による熱溶着により、背側部品４の背側把持部８ａと腹側部品５の腹側把持部８ｂとが把持部８として互いに接合されるとともに背側部品４の背側尻部７ａと腹側部品５の腹側尻部７ｂとが尻部７として互いに接合され、錘５１が背側部品４と腹側部品５との間の収容室５７で収容される。従って、指当体１２が周方向へ延びる円周角度範囲θ１２（＝θ１５＋θ１４）は、１８０度を超えて３６０度以下、例えば腹側分割片１４の外周面４１における溝部４２の円周角度を含めて３６０度に設定されている。その際、腹側把持部８ｂの連結橋部５２が腹側分割片１４の溝部４２に嵌め込まれて腹側分割片１４の架橋部４４がこの連結橋部５２と錘５１の頭端部５１ａとの間で挟持されるとともに、腹側分割片１４の両区画部４３がこの連結橋部５２の両側の切欠き５２ａで露出し、この連結橋部５２から連続する腹板６ａが背側部品４の頭部６に接合されて腹側分割片１４の係止板部４９がこの腹板６ａの内側で隠蔽される。背側分割片１３の両延設部１７において他方の係止溝３１に腹側把持部８ｂの側壁部５３が係入されて連結壁部２９に当てがわれ、外壁２７がこの側壁部５３の外側で延設凹部５４に嵌め込まれて長手方向へ延びるとともに内壁２８がこの側壁部５３の内側で長手方向へ延びる。この両内壁２８は錘５１の幅方向両側と背側把持部８ａの両側壁部３５及び腹側把持部８ｂの両側壁部５３との間で挟持される。錘５１の尻端部５１ｂは背側尻部７ａと腹側尻部７ｂの押接壁部５６の端部５６ａと間で挟持される。前述した微細な超音波振動と圧力の付与に伴う熱溶着による背側部品４と腹側部品５との接合時に、端部５６ａにおける山形状尖端を若干潰すことにより、背側把持部８ａと腹側把持部８ｂとの間における錘５１の挟持状態を調節することができる。例えば、それらの挟持状態の緩みが大きい場合には端部５６ａの潰し量を小さくし、その緩みが小さい場合には端部５６ａの潰し量を大きくする。腹側把持部８ｂの両雄軸部５５は背側分割片１３の両環部２７ａを通して背側把持部８ａの両雌軸部３４ｂに挿着され、この環部２７ａが雌軸部３４ｂと雄軸部５５との間に挟持されて背側分割片１３の両延設部１７が背側把持部８ａから外れにくくなる。
【００４２】
なお、前記ハンドル２の重さは約３０ｇに設定され、また、そのハンドル２のハンドル本体３において、頭部６から把持部８を経て尻部７に至る長手方向の全長は約１３５ｍｍに設定されている。
【００４３】
本実施形態は下記の効果を有する。
＊  互いに分離されて複数分割された分割片１３，１４をハンドル本体３の周方向へ互いに並べて指当体１２を構成したので、把持部８内で各分割片１３，１４を互いに連続させる成形空間を必要とせず、その指当体１２や把持部８を形成するための成形型の構造が従来技術の場合よりも簡単になるとともに、その指当体１２や把持部８を形成する材料の分量を少なくすることができる。従って、ハンドル本体３の表側で把持部８から露出する指当体１２を各分割片１３，１４ごとに簡単且つ安価に設けることができる。
【００４４】
＊  ハンドル本体３の把持部８の周方向で各分割片１３，１４を互いに並べた指当体１２において、周方向で互いに隣接する両分割片１３，１４の端縁部１６，４０は接触面（端縁部１６の交差面２２、端縁部４０の端面４５）により周方向で互いに接して連続しているので、指当体１２を複数の分割片１３，１４に分割したにもかかわらず、指当体１２を広い円周角度範囲に設けることができる。従って、指当体１２としての機能を高めて使い勝手を良くすることができる。
【００４５】
＊  ハンドル本体３の把持部８の周方向で各分割片１３，１４が互いに接して連続する指当体１２において、周方向で互いに隣接する両分割片１３，１４の端縁部１６，４０はその分割片１３，１４自体の弾性を利用して接触面（端縁部１６の交差面２２、端縁部４０の端面４５）により周方向で互いに圧接されている。また、周方向で互いに隣接する両分割片１３，１４の端縁部１６，４０の接触面（端縁部１６の交差面２１、端縁部４０の交差面４８）が幅方向で互いに接するとともに、周方向で互いに隣接する両分割片１３，１４の端縁部１６，４０の接触面（端縁部１６の交差面２３、端縁部４０の交差面４６）が長手方向で互いに接する。従って、周方向で互いに隣接する両分割片１３，１４の端縁部１６，４０間で隙間をなくして各分割片１３，１４を一体化させ、指当体１２としての機能を高めて使い勝手を良くすることができる。
【００４６】
＊  上から下へ剃る順剃りでも下から上へ剃る逆剃りでも、ハンドル本体３の把持部８を把持する際に指が当てがわれる頭部６側に指当体１２が設けられているので、使い勝手を良くすることができる。
【００４７】
＊  錘５１をハンドル本体３内の収容室５７に収容したので、ハンドル本体３の把持バランスを良くしてハンドル本体３を把持し易くすることができる。
＊  ハンドル本体３の表側で把持部８から露出する指当体１２自体の弾性を利用した緩衝部（前記突板部３２、内壁２８、架橋部４４、環部２７ａ）を錘５１の挟持部（中間部５１ｃ、頭端部５１a、くびれ部５１ｄ）と把持部８の挟持部（挟持突条３７、側壁部３５、側壁部５３、連結橋部５２、雌軸部３４ｂ）との間に介在させたので、ハンドル本体３内の収容室５７に錘５１を収容し易くするとともに、収容室５７で指当体１２の緩衝部（前記突板部３２、内壁２８、架橋部４４、環部２７ａ）により錘５１の動きを緩衝して錘５１の動きにより生じる耳障りな音の発生を防止することができる。
【００４８】
前記実施形態以外にも例えば下記のように構成してもよい。
・  前記実施形態ではハンドル本体３の頭部６に対し替刃ヘッド１１を着脱可能に支持したが、ハンドル本体の頭部に替刃を一体的に組み付けてもよい。
【００４９】
・  前記実施形態では周方向で互いに隣接する両分割片１３，１４の端縁部１６，４０を周方向で互いに接して連続させているが、その両分割片の端縁部間で間隔をあけて把持部を露出させてもよい。
【００５０】
・  前記実施形態では背側分割片１３と腹側分割片１４とによる二つの分割片により指当体１２を構成したが、三つ以上の分割片により指当体を構成してもよい。
・  前記実施形態の背側分割片１３においては主体部１５から両延設部１７が連続して形成されているが、この両延設部１７を省略してもよい。また、背側分割片１３ばかりでなく腹側分割片にも両延設部を設けたり、背側分割片１３の両延設部１７を省略して腹側分割片にのみ両延設部を設けたりしてもよい。
【００５１】
・  前記実施形態では背側分割片１３の主体部１５と腹側分割片１４とを周方向へ並べた指当体１２の一部分が把持部８においてハンドル本体３の頭部６に近い頭部６側にのみ設けられているが、把持部８においてその頭部６側とハンドル本体３の頭部６と尻部７との間の中間部と尻部７側とのうち少なくともいずれかに設けたり、把持部８の全体に設けたりしてもよい。
【００５２】
・  前記実施形態ではハンドル本体３において背側部品４と腹側部品５との間に錘５１を収容したが、錘を収容しない場合には背側部品と腹側部品とを一体的に設けてもよい。
・  ハンドル本体の背側部品に背側分割片を一体成形したものと、ハンドル本体の腹側部品に腹側分割片を一体成形したものとを互いに組み付けてもよい。
【符号の説明】
【００５３】
１…剃刀、２…ハンドル、３…ハンドル本体、６…ハンドル本体の頭部、７…ハンドル本体の尻部、８…ハンドル本体の把持部、１２…把持部の指当体、１３…指当体の背側分割片、１６…背側分割片の端縁部、１４…指当体の腹側分割片、２７ａ…環部（緩衝部）、２８…内壁（緩衝部）、３２…突板部（緩衝部）、３４ｂ…雌軸部（挟持部）、３５…側壁部（挟持部）、３７…挟持突条（挟持部）、４０…腹側分割片の端縁部、４４…架橋部（緩衝部）、５１…錘、５１a…錘の頭端部（挟持部）、５１ｃ…錘の中間部（挟持部）、５１ｄ…錘のくびれ部（挟持部）、５２…連結端部（挟持部、係止部）、５３…側壁部（挟持部）、５７…ハンドル本体の収容室。
【図１】
2011019558.tif 000003
【図２】
2011019558.tif 000004
【図３】
2011019558.tif 000005
【図４】
2011019558.tif 000006
【図５】
2011019558.tif 000007
【図６】
2011019558.tif 000008
【図７】
2011019558.tif 000009
【図８】
2011019558.tif 000010
【図９】
2011019558.tif 000011
【図１０】
2011019558.tif 000012
【図１１】
2011019558.tif 000013